(57)【要約】      （修正有）【課題】雨除けや日除け用の鍔状部材をフードから着脱することなく、降雨等の際は簡便且つ迅速に配置でき、また雨が止んで不要になれば、直ぐに仕舞うことを可能にし、上記部材の保管や紛失といった問題を一掃するフード付き衣服を提供する。【解決手段】フード１の開口部１ａの上縁に、鍔状部材２をフード１の内側に折り込み自在に設ける。この鍔状部材２の外縁に、鍔状部材２の形状保持と鍔状部材２の変形用の線状部材３を設ける。この場合、鍔状部材２の外縁に、生地を折り返して細筒状の袋状部を形成し、この袋状部に線状部材３を通すのが好ましい。【選択図】図１
0003234334.tif 000002
【実用新案登録請求の範囲】
【請求項１】
フードを有し、防水性の生地で形成されているフード付き衣服であって、上記フードの開口部の上縁から鍔状部材が前方に凸湾曲の庇状に突き出され、この鍔状部材がフードの内側に折り込み自在に形成され、この鍔状部材の外縁に沿って線状部材が設けられ、この線状部材によって鍔状部材が変形自在に形成されていることを特徴とするフード付き衣服。
【請求項２】
請求項１記載のフード付き衣服であって、鍔状部材の外縁に、鍔状部材の生地が折り返されてなる細筒状の袋状部が形成され、この袋状部に線状部材が通されていることを特徴とするフード付き衣服。
【請求項３】
請求項１又は２記載のフード付き衣服であって、袖を有し、この袖の先端に、袖口から露出する手を覆う長さの延長部が、袖内と連通状に接続され、この延長部が袖の内側に折り込み自在に形成され、また延長部の開口状の先端の周縁に沿って線状部材が設けられ、この線状部材によって延長部が変形自在に形成されていることを特徴とするフード付き衣服。
【請求項４】
請求項３記載のフード付き衣服であって、延長部が開放状の先端に向かって先広がり状に形成されていることを特徴とするフード付き衣服。
【考案の詳細な説明】
【技術分野】
【０００１】
本考案は、アノラックなどの防寒や防風、防雨のために使用する衣服に関し、更に詳しくは降雨等の際に顔や手が濡れることを、簡単、迅速に防止できるよう形成したフード付き衣服に関するものである。
【背景技術】
【０００２】
従来、フード付き衣服としては、例えばアノラックやウィンドヤッケ、カッパやレインコート、或いはポンチョ等がある。この種の衣服は、降雨の際に、フードで頭部が濡れることを防止できるものの、フードの前側から流れ落ちる雨で顔や眼鏡が濡れ易いものであった。
【０００３】
そのため、この種の問題を解消する従来品としては、例えば特許文献１に記載のものがある。この従来品は、雨除けを兼ねたサンバイザーをフードの前側の上縁に形成したものであり、降雨時はサンバイザーをフードの前側に取り付け、不使用時はフードから取り外して使用する構造である。
【０００４】
而して、例えば山歩き等においては、天気が急変し、突然、降雨に見舞われることがある。このような場合、従来品は、リュック等からサンバイザーを取り出してフードに装着し、サンバイザーが不要になったときは、フードから取り外してリュック等に収納する必要があった。
【０００５】
従って、従来品は、使用時にサンバイザーの着脱操作が必要になり、その分、手間暇がかかるため、使い勝手が悪い、という問題点があった。また従来品は、サンバイザーが嵩張るため、その保管場所を確保する必要があり、またサンバイザーを紛失し易い、という問題点があった。
【先行技術文献】
【特許文献】
【０００６】
【特許文献１】特開２０１４−１１４５３２号公報
【考案の概要】
【考案が解決しようとする課題】
【０００７】
本考案は、このような従来の問題点に鑑み、提案されたものである。
従って、本考案の解決しようとする技術的課題は、雨除けや日除け用の鍔状部材を着脱操作を伴うことなく、簡便且つ迅速に、また楽に装着と収納ができるよう形成して使い勝手を高め、また保管や紛失の問題を解消できるよう形成したフード付き衣服を提供することにある。
【課題を解決するための手段】
【０００８】
本考案は、上記の課題を解決するため、次のような技術的手段を採る。
即ち、本考案は、図１等に示されるように、フード１を有し、防水性の生地で形成されているフード１付き衣服であって、上記フード１の開口部１ａの上縁から鍔状部材２が前方に凸湾曲の庇状に突き出され、この鍔状部材２がフード１の内側に折り込み自在に形成され、この鍔状部材２の外縁に沿って線状部材３が設けられ、この線状部材３によって鍔状部材２が変形自在に形成されていることを特徴とする（請求項１）。
【０００９】
本考案の場合、線状部材３としては、例えば断面円形や扁平状の針金等の金属線材がある。ここで、鍔状部材２が変形自在に形成されている、とは、鍔状部材２をフード１の内側に、フード１の湾曲に沿って収納でき、また風雨の状況に応じて雨を任意の方向や角度で流すことができるよう形成されている、ということを意味する。従って、線状部材３は、鍔状部材２の変形と形状保持の機能を有する。本考案の場合、線状部材３は、露出しないよう体裁良く設けるのが好ましいが、これに限定されるものではない。
【００１０】
而して、本考案は、鍔状部材２の外縁に、鍔状部材２の生地が折り返されてなる細筒状の袋状部４が形成され、この袋状部４に線状部材３が通されているのが好ましい（請求項２）。
【００１１】
なぜならこれによると、線状部材３の露出を簡単な構造で防止できるからである。またこれによると、例えば袋状部４の差し入れ口から線状部材３としてのワイヤーを挿入することにより、簡単、低コストで本考案品を実現できるからである。
【００１２】
また本考案は、図１等に示されるように、袖６を有し、この袖６の先端に、袖口６ａから露出する手８を覆う長さの延長部７が、袖６内と連通状に接続され、この延長部７が袖６の内側に折り込み自在に形成され、また延長部７の開口状の先端の周縁に沿って線状部材３が設けられ、この線状部材３によって延長部７が変形自在に形成されているのが好ましい（請求項３）。
【００１３】
なぜならこれによると、降雨や降雪等で気温が低い時、延長部７を袖６の内側から引き出して手８を覆い、手８が濡れることを防止できると共に、手８を保温できるからである。またこれによると、延長部７をすぼめ、手８に密着させることができ、保温性を高めることができるからである。
【００１４】
この場合、本考案は、延長部７が開放状の先端に向かって先広がり状に形成されているのが好ましい（請求項４）。
【００１５】
なぜならこれによると、延長部７で手８をすっぽりと覆い易くなるからである。またこれによると、延長部７の面積が大きくなるため、その分、手８の形に合わせて延長部７を形作ることが容易になり、手８に延長部７を、より密着させて手８を覆うことができるからである。
【考案の効果】
【００１６】
本考案のフード付き衣服は、上記のように、フードの開口部の上縁から鍔状部材が前方に凸湾曲の庇状に突き出され、この鍔状部材がフードの内側に折り込み自在に形成され、この鍔状部材の外縁に沿って線状部材が設けられ、この線状部材によって鍔状部材が変形自在に形成されているものである。
【００１７】
従って、本考案によれば、降雨時はフードから鍔状部材を直ぐに取り出して使用でき、不使用時は直ぐに仕舞うことができる。それ故、本考案品は、着脱操作が必要な従来品に比べ、使い勝手が良くなる、という実用上優れた効果を奏する。
【００１８】
また本考案は、鍔状部材をフード内に収納、保管できるから、保管場所を確保する必要がなく、紛失のおそれもない。
【００１９】
また本考案は、鍔状部材の形を適宜変えることができる。
従って、これによれば、風雨の状態に合わせて鍔状部材の形を変え、雨を流す方向や角度を任意に調節できる、という利点がある。
【図面の簡単な説明】
【００２０】
【図１】本考案品の好適な一実施形態を示す使用状態の斜視図である。
【図２】Ａは同上本考案品の通常時の使用例を説明するための側面図、Ｂは降雨時の使用例を説明するための側面図である。
【図３】同上本考案品の一部を切欠した要部側面図である。
【図４】図３のＩＶ−ＩＶ線拡大断面図である。
【図５】鍔状部材の平面図である。
【図６】同上本考案品の一部を切欠した要部側面図である。
【図７】図６のVII−VII線拡大断面図である。
【図８】延長部を袖内に収納した状態を示す要部正面図である。
【図９】図８のＩＸ−ＩＸ線拡大断面図である。
【図１０】延長部を袖内に収納した状態を示す要部正面図である。
【図１１】延長部の形作りの他例を説明するための要部正面図である。
【考案を実施するための形態】
【００２１】
以下、本考案の好適な一実施形態を、添付図面に従って説明する。
本考案は、フード１を有し、防水状の生地で形成されているフード１付き衣服である。
【００２２】
本考案は、フード１の開口部１ａの上縁から鍔状部材２が前方に凸湾曲の庇状に突き出されている。そして、この鍔状部材２は、フード１の内側、換言するとフード１の裏側に折り込み自在に形成されている。鍔状部材２は、この実施形態ではフード１の上縁に縫い付けられている。
【００２３】
鍔状部材２は、衣服の生地と同じ防水性の生地で作られ、ポリエステルの芯地２ａが入れられている。鍔状部材２は、この実施形態では図５において、ＤＩが８０ｍｍ、Ｄ２が３１０ｍｍに選定されている。
【００２４】
また本考案は、鍔状部材２の外縁に沿って線状部材３が設けられ、この線状部材３によって鍔状部材２が変形自在に形成されている。線状部材３は、この実施形態では直径２ｍｍのアルミ製の屈曲自在ワイヤーである。
【００２５】
この実施形態の本考案の場合、線状部材３は、細筒状の袋状部４に通されている。袋状部４は、生地が折り返され、裏生地５（図４参照）と重ね合わされて縫い付けられることにより形成されている。
【００２６】
またこの実施形態の本考案品は、図１等に示されるように、フード１と共に、袖６を有している。そして、袖６の先端に、袖６の延長部７が縫い付けられて接続されている。この延長部７は、袖６と同じ防水性の生地で作られ、袖６内と連通状に、袖口６ａから露出する手８を覆う長さに選定されている。
【００２７】
また延長部７は、開放状の先端に向かって先広がり状に形成されていると共に、袖６の内側に折り込み自在に形成されている。また延長部７の先端は、周縁が折り返されると共に、裏生地５（図７参照）と重ね合わされて細筒状の袋状部４に形成され、この袋状部４に線状部材３が通されている。
【００２８】
延長部７の袋状部４に通される線状部材３は、この実施形態では直径１ｍｍのアルミ自在ワイヤーである。延長部７は、この線状部材３によって変形自在に形成されている。延長部７は、この実施形態では図６において、Ｄ３が９０ｍｍ、Ｄ４が１６０ｍｍ、図１０において、Ｄ５が１００ｍｍ、Ｄ６が２０ｍｍに選定されている。
【００２９】
次に、この実施形態に係る本考案品の使用例を、図１、図２等に従って説明する。
【００３０】
本考案品は、図２Ａに示されるように、通常時は鍔状部材２をフード１内に折り込み、延長部７は袖６内に折り込んだ状態で使用する。
【００３１】
降雨時は、図２Ｂに示されるように、使用者は、鍔状部材２をフード１内から引き出して外側に折り返し、庇状に配置すると共に、延長部７を袖６の内側から引き出し、円形に拡げて着用する。
【００３２】
而して、本考案は、このように形成されているから、これによれば、使用者は、雨がフード１から流れ落ちても鍔状部材２で顔や眼鏡を濡らすことがない。また袖６から雨が流れ落ちても、延長部７によって手８が濡れることがない。
【００３３】
また本考案品は、鍔状部材２がフード１に折り込み自在に設けられ、従来品のように着脱して使用するものではない。従って、これによれば、鍔状部材２の保管や紛失といった従来品の問題点を一掃できる。
【００３４】
また本考案品は、延長部７が袖６の内側に折り込み自在に形成されているから、延長部７を使用しないときは袖６の内側に折り込んで配置できる。従って、これによれば、延長部７が手８の動きに支障を及ぼすことを防止できる。
【００３５】
また本考案品は、上記の通り、鍔状部材２や延長部７を変形できる。従って、本考案品は、鍔状部材２や延長部７を使用者が任意の形に、換言すれば、フード１や袖６の内側の形に合わせて鍔状部材２を折り込んで配置できる。それ故、これによれば、鍔状部材２や延長部７が着心地に悪影響を与えることがない。
【００３６】
また本考案は、風雨等の状況に応じて鍔状部材２の形を変え、雨を流す方向や角度を変えることができる。また本考案は、延長部７をすぼめ、手８に密着させて使用することができるから、これによれば、延長部７の中に風や冷気が入ることを防止でき、手８を確実に保温できる。
【００３７】
なお本考案の場合、延長部７は、手指の５本全てを一緒に覆うよう形作る場合には限られない。即ち、図１１に示されるように、任意の手指に分けて覆うよう、延長部７を形作って使用するのでも良い。この実施形態は、親指８ａと、それ以外の４本の指８ｂとに分けて覆う例である。本考案は、このように、延長部７をすぼめて手指にぴったりあてがって手８を覆えば、より一層、保温性を高めることができ、体温の低下を確実に防止できる。
【００３８】
以上の処において、本考案は、フード１の付いた衣服であれば、そのデザインは任意である。鍔状部材２や延長部７を、フード１や袖６と異なる材質や色で形成し、鍔状部材２や延長部７が、デザイン上、ワンポイントのアクセントになるよう形成されているのでも良い。
【００３９】
また本考案の場合、線状部材３は、上例のように袋状部４に通されて設けられる場合には限られず、他の手段によって講じられているのでも良い。
【００４０】
また延長部７は、先広がり状に形成されるのが好ましいが、これに限定されるものではない。なお、鍔状部材２や延長部７の上記した各寸法は、適宜選定されるので良く、上例に限定されるものではない。
【符号の説明】
【００４１】
１      フード
１ａ    開口部
２      鍔状部材
２ａ    芯地
３      線状部材
４      袋状部
５      裏生地
６      袖
６ａ    袖口
７      延長部
８      手
８ａ    親指
８ｂ    親指以外の４本の指
【図１】
0003234334.tif 000003
【図２】
0003234334.tif 000004
【図３】
0003234334.tif 000005
【図４】
0003234334.tif 000006
【図５】
0003234334.tif 000007
【図６】
0003234334.tif 000008
【図７】
0003234334.tif 000009
【図８】
0003234334.tif 000010
【図９】
0003234334.tif 000011
【図１０】
0003234334.tif 000012
【図１１】
0003234334.tif 000013